(57)【要約】【課題】  表示画像における背景画像は変化するが、当該背景画像に重畳される文字画像の表示画面における表示位置を変化させない表示用画像を表示させるための手順情報を簡易に生成する。【解決手段】  記憶部１１０が、外部から供給され、互いに関連付けられた画像データ及び文字コードデータを記憶する。そして、生成部１３０が、新たな画像データ及び文字コードデータとの組み合わせが記憶部に記憶されるたびに、まず、画面における予め定められた位置に、当該画像データの少なくとも一部に対応する背景画像に重畳されて表示される、当該文字コードデータに対応する文字画像のデータを、背景画像とは異なる階層の画像データとして生成する。引き続き、生成部１３０は、当該背景画像に当該文字画像が重畳された表示画像を表示させるための手順情報を生成する。【選択図】  図１
2018041148.tif 000002
【特許請求の範囲】
【請求項１】
外部から供給され、互いに関連付けられた画像データ及び文字コードデータを記憶する記憶部と；
画面における予め定められた位置に、前記画像データの少なくとも一部に対応する背景画像に重畳されて表示される、前記文字コードデータに対応する文字画像のデータを、前記背景画像とは異なる階層の画像データとして生成した後、前記背景画像に前記文字画像が重畳された表示画像を表示させるための手順情報を生成する生成部と；
を備えることを特徴とする画像情報処理装置。
【請求項２】
前記画像データは、電子メールの添付ファイルとして供給され、前記文字コードデータは、前記電子メールの本体部における所定箇所の文字コードデータとして供給される、ことを特徴とする請求項１に記載の画像情報処理装置。
【請求項３】
前記画像データは、広角静止画像データ及び広角動画像データの一方であり、前記背景画像は、前記画像データの一部に対応している、ことを特徴とする請求項１に記載の画像情報処理装置。
【発明の詳細な説明】
【技術分野】
【０００１】
本発明は、画像情報処理装置に係り、特に、背景画像に文字コードデータに対応する文字画像を重畳させた表示用画像のデータを生成し、生成された表示用画像のデータを配信する画像情報処理装置に関する。
【背景技術】
【０００２】
従来から、撮影された画像を背景画像とし、当該背景画像に文字コードデータに対応する文字画像を重畳させた表示用画像を、ＷＥＢページの画像として配信することが広く行われている。こうした背景画像に文字画像を重畳する際に、拡張現実（Augmented Reality : ＡＲ）技術を利用することが提案されている（特許文献１参照：以下、「従来例」と呼ぶ）。
【０００３】
この従来例の技術では、撮影画像中において認識されたＡＲマーカ（基準物）の位置に、文字情報等のＡＲコンテンツを重ね合わせて表示する。この結果、撮影画像内に映っている実体物（実空間に存在する物体）に対応付けられたように、ＡＲコンテンツを表示できるので、実体物に対応する注意事項や操作方法等の付加的な情報を閲覧者に提供できるようになっている。
【先行技術文献】
【特許文献】
【０００４】
【特許文献１】特開２０１６−０１８４８７号公報
【発明の概要】
【発明が解決しようとする課題】
【０００５】
上述した従来例の技術では、撮影画像中における位置に、文字情報等のＡＲコンテンツを重ね合わせて表示する。このため、撮影画像における表示画面への表示対象部分が変化したり、撮影画像が動画像であったりした場合には、ＡＲコンテンツである文字画像の表示画面中における位置も変化することになる。
【０００６】
ところで、撮影画像と、文字コードデータに対応する文字情報とでＷＥＢページ画像を作成する場合、文字情報は、撮影画像内に映っている特定の実体物に密接に関連するものではなく、撮影画像の全体から観念される印象、スローガン等を表現する場合が多い。こうした印象、スローガン等は、撮影画像における表示画面への表示対象部分が変化しても、印象、スローガン等を表示する文字画像は、表示画面中における表示位置が変化しない方が好ましい場合が多い。かかる場合には、従来例の技術では対応できない。
【０００７】
このため、撮影された画像を背景画像とし、当該背景画像に文字コードデータに対応する文字画像を重畳させた表示用画像を作成する際に、撮影画像における表示画面への表示対象部分が変化したり、撮影画像が動画像であったりした場合であっても、表示画像における背景画像は変化するが、当該背景画像に重畳される文字画像の表示画面における表示位置を変化させない表示用画像を簡易に作成することができる技術が望まれている。
【０００８】
本発明は、上記の事情を鑑みてなされたものであり、上記の要請に応えることができる画像情報処理装置を提供することを目的とする。
【課題を解決するための手段】
【０００９】
本発明の画像情報処理装置は、外部から供給され、互いに関連付けられた画像データ及び文字コードデータを記憶する記憶部と；画面における予め定められた位置に、前記画像データの少なくとも一部に対応する背景画像に重畳されて表示される、前記文字コードデータに対応する文字画像のデータを、前記背景画像とは異なる階層の画像データとして生成した後、前記背景画像に前記文字画像が重畳された表示画像を表示させるための手順情報を生成する生成部と；を備えることを特徴とする画像情報処理装置である。
【００１０】
この画像情報処理装置では、記憶部が、外部から供給され、互いに関連付けられた画像データ及び文字コードデータを記憶する。そして、生成部は、新たな画像データと文字コードデータとの組み合わせが記憶部に記憶されるたびに、まず、画面における予め定められた位置に、当該画像データの少なくとも一部に対応する背景画像に重畳されて表示される、当該文字コードデータに対応する文字画像のデータを、背景画像とは異なる階層の画像データとして生成する。引き続き、生成部は、当該背景画像に当該文字画像が重畳された表示画像を表示させるための手順情報を生成する。
【００１１】
したがって、本発明の画像情報処理装置によれば、表示画像における背景画像は変化するが、当該背景画像に重畳される文字画像の表示画面における表示位置を変化させない表示用画像を表示させるための手順情報を簡易に生成することができる。このため、本発明の画像情報処理装置は、表示画像における背景画像は変化するが、当該背景画像に重畳される文字画像の表示画面における表示位置を変化させない表示用画像の生成に貢献することができる。
【００１２】
本発明の画像情報処理装置では、前記画像データが、電子メールの添付ファイルとして供給され、前記文字コードデータが、前記電子メールの本体部における所定箇所の文字コードデータとして供給されるようにすることができる。この場合には、関連付けられて記憶部内に記憶されるべき画像データと文字コードデータとを、関連付けを明確に示しつつ、利用者にとって簡易に、背景画像の作成に利用される画像データ、及び、背景画像に重畳される文字画像の作成に利用される文字コードデータを、画像情報処理装置に供給することができる。
【００１３】
また、本発明の画像情報処理装置では、前記画像データは、広角静止画像データ及び広角動画像データの一方であり、前記背景画像は、前記画像データの一部に対応している画像とすることができる。ここで、「広角画像」には、表示画面に同時に表示できない部分を含む画像、例えば、いわゆるパノラマ画像、３６０°全天周画像（以下、単に「３６０°画像」と呼ぶ）等をいう。
【発明の効果】
【００１４】
以上説明したように、本発明の画像処理装置によれば、背景画像に、文字コードデータに対応する文字画像を重畳させた表示用画像を作成する際に、撮影画像等における表示画面への表示対象部分が変化したり、撮影画像等が動画像であったりした場合であっても、表示画像における背景画像は変化するが、当該背景画像に重畳される文字画像の表示画面における表示位置を変化させない表示用画像の生成に貢献することができる、という効果を奏する。
【図面の簡単な説明】
【００１５】
【図１】本発明の一実施形態に係る画像情報処理装置の概略的な構成を示すブロック構成図である。
【図２】図１の記憶部に記憶されるデータを説明するための図である。
【図３】図１の生成部による初期ＵＲＬ画像表示手順情報の生成処理を説明するためのフローチャートである。
【図４】初期ＵＲＬに関連する画像を説明するための図である。
【図５】図１の端末装置によるＷＥＢページ画像表示手順情報の生成処理を説明するためのフローチャートである。
【図６】ＷＥＢページ画像に関連する画像を説明するための図である。
【発明を実施するための形態】
【００１６】
以下、本発明の一実施形態を、図１〜図６を参照して説明する。なお、以下の説明及び図面においては、同一又は同等な要素には同一の符号を付し、重複する説明を省略する。
【００１７】
［構成］
図１に示されるように、一実施形態に係る画像情報処理装置１００は、通信網５００を介して、端末装置２００1，２００2，…、ＷＥＢサーバ３００及びコンテンツサーバ４００と通信可能となっている。なお、端末装置２００1，２００2，…も、通信網５００を介して、ＷＥＢサーバ３００及びコンテンツサーバ４００と通信可能となっている。
【００１８】
上記の端末装置２００j（ｊ＝１，２，…）は、中央処理装置（ＣＰＵ）、記憶装置、表示部、入力部等を備えている。そして、当該中央処理装置がプログラムを実行することにより、後述する処理を含めて様々な処理を実行するようになっている。
【００１９】
なお、入力部は、キーボード等の文字コード入力、指令入力が可能なストロークデバイスと、視野方向指定デバイスとを備えている。本実施形態では、当該視野方向指定デバイスとして、表示部が備えるヘッドマウントディスプレイ（以下、「ＨＭＤ」ともいう）に固定されたジャイロセンサを備えるようになっている。
【００２０】
端末装置２００jは、カメラ２５０jと接続されている。ここで、カメラ２５０jは、本実施形態では、周囲の全天周の画像（以下、「３６０°画像」という）を撮影可能であり、撮影結果を端末装置２００jへ送るようになっている。かかる撮影結果を受けると、端末装置２００jは、撮影結果である撮影画像データを添付ファイルとするとともに、入力部を利用して指定された、文字コードデータにより表現されたタイトル（標題）を含む電子メール（以下、「ｅメール」ともいう）を、通信網５００を介して、画像情報処理装置１００へ送信する。
【００２１】
また、端末装置２００jは、後述する初期ＵＲＬ（Uniform Resource Locator）を、画像情報処理装置１００から受信すると、ＷＥＢページ画像表示手順情報の生成処理を実行する。かかるＷＥＢページ画像表示手順情報の生成処理については、後述する。
【００２２】
＜画像情報処理装置１００の構成＞
次に、上記の画像情報処理装置１００の構成について説明する。
【００２３】
図１に示されるように、画像情報処理装置１００は、記憶部１１０と、通信部１２０と、生成部１３０とを備えている。
【００２４】
上記の記憶部１１０は、固定ディスク等の不揮発性記憶デバイスを備えて構成されている。記憶部１１０には、画像情報処理装置１００で利用される様々なデータが記憶されている。この記憶部１１０には、生成部１３０がアクセス可能となっている。
【００２５】
なお、記憶部１１０に記憶されるデータの内容については、後述する。
【００２６】
上記の通信部１２０は、通信網５００との間で信号の授受を行う。この通信部１２０を利用することにより、生成部１３０は、端末装置２００j、ＷＥＢサーバ３００及びコンテンツサーバ４００との間で通信を行うことができるようになっている。
【００２７】
上記の生成部１３０は、中央処理装置（ＣＰＵ）及び周辺回路を備えて構成されている。この生成部１３０は、記憶部１１０に格納されている様々なプログラムを実行することにより、画像情報処理装置１００の機能を実現するための処理を行うようになっている。なお、画像情報処理装置１００が実行する処理には、後述する初期ＵＲＬ画像表示手順情報の生成処理が含まれている。
【００２８】
＜記憶部１１０に記憶されるデータ＞
ここで、記憶部１１０に記憶されるデータについて説明する。
【００２９】
記憶部１１０に記憶される情報には、生成部１３０が実行するプログラムに加えて、図２に示されるように、ロゴ登録テーブルＬＲＴ、既定位置情報ＰＳＩ、ＵＲＬ割当テーブルＵＡＴが含まれている。また、記憶部１１０に記憶される情報には、受信情報ＲＶＤ及び表示手順情報ＤＰＩが含まれている。
【００３０】
上記のロゴ登録テーブルＬＲＴには、ロゴの識別コードＬＩＤ＃ｋ（ｋ＝１，２，…）に関連付けて、ロゴ画像データＤＬＤ＃ｋが登録されている。こうしたロゴ登録テーブルＬＲＴへの登録は、ロゴ画像の管理者が、不図示の管理者端末装置を利用して、通信網５００を介して登録するようになっている。なお、本実施形態では、上述した端末装置２００jから画像情報処理装置１００へ送られるｅメールの送信元アドレスにおけるドメイン名が、ロゴの識別コードとして利用されるようになっている。
【００３１】
上記の既定位置情報ＰＳＩには、表示画面ＤＳＰ内のロゴ画像領域ＬＲＤ（図４（Ｃ），（Ｄ）参照）位置及び文字画像領域ＣＲＤ（図４（Ｃ），（Ｄ）参照）位置が含まれている。ここで、ロゴ画像領域ＬＲＤ位置及び文字画像領域ＣＲＤ位置は、いずれも表示画面上の位置となっている。本実施形態では、ロゴ画像領域ＬＲＤ位置及び文字画像領域ＣＲＤ位置は、画像情報処理装置１００の管理者により、予め定められるようになっている。
【００３２】
上記のＵＲＬ割当テーブルＵＡＴには、乱数発生機能を利用して予め作成された多数のＵＲＬ＃ｍ（ｍ＝１，２，…）が登録されるとともに、次に割り当てられるべきＵＲＬに対応する割当ＵＲＬ番号が登録されている。かかる割当ＵＲＬ番号の初期値は「１」であり、新たにＵＲＬが割り当てられるたびに、生成部１３０によりインクリメントされるようになっている。例えば、割当ＵＲＬ番号が「ｍC」である状態で、新たにＵＲＬが割り当てられると、割当ＵＲＬ番号が「ｍC＋１」に更新されるようになっている。
【００３３】
上記の受信情報ＲＶＤとしては、受信画像データ、受信文字コードデータ及び文字画像データが一時的に格納される。ここで、受信画像データとしては、ｅメールの添付ファイルとして端末装置２００jから受信した画像データが格納される。また、受信文字コードデータとしては、端末装置２００jからｅメールのタイトルを表現している文字コードデータが格納される。また、文字画像データとしては、端末装置２００jからのｅメールの受信後に、生成部１３０により生成された、ｅメールのタイトルを表現している文字コードデータに対応する画像データが格納される。
【００３４】
表示手順情報ＤＰＩとしては、生成部１３０により生成された初期ＵＲＬに対応する画像の表示手順情報が一時的に格納される。なお、本実施形態では、当該表示手順情報は、ＨＴＭＬ（Hyper Text Mark-up Language）で記載されている。
【００３５】
［動作］
次に、上記のように構成された画像情報処理装置１００の動作について、生成部１３０による初期ＵＲＬ画像表示手順情報の生成処理に着目して説明する。また、端末装置２００jにおけるＷＥＢページ画像表示手順情報の生成処理についても併せて説明する。
【００３６】
＜初期ＵＲＬ画像表示手順情報の生成処理＞
まず、生成部１３０による初期ＵＲＬ画像表示手順情報の生成処理について説明する。
【００３７】
かかる初期ＵＲＬ画像表示手順情報の生成処理に際しては、図３に示されるように、まず、ステップＳ１１において、生成部１３０が、画像データが添付ファイルとして含まれるとともに、文字コードデータにより表現されたタイトルを含むｅメールを受信したか否かを判定する。ステップＳ１１における判定の結果が否定的であった場合（ステップＳ１１：Ｎ）には、ステップＳ１１の処理が繰り返される。
【００３８】
ｅメールを受信し、ステップＳ１１における判定の結果が肯定的となると（ステップＳ１１：Ｙ）、生成部１３０は、添付ファイルに含まれている画像データ（本実施形態では、３６０°画像）、タイトルを表現している文字コードデータ、及び、当該ｅメールの送信者のｅメールアドレスを記憶部１１０内に格納する。そして、処理はステップＳ１２へ進む。
【００３９】
ステップＳ１２では、生成部１３０が、記憶部１１０内のＵＲＬ割当テーブルＵＡＴを参照して、新たなＵＲＬを今回の初期ＵＲＬとして割り当てる。
【００４０】
なお、初期ＵＲＬでは、初期ＵＲＬに対応する画像表示において最初に表示される画像の中心位置（すなわち、初期視野方向位置）も指定されるようになっている。本実施形態では、３６０°画像の画像全体ＦＭＧの縦座標値を０〜１のいずれかの数値で表すとともに、横座標値を０〜１のいずれかの数値で表し、初期視野方向を（０．５，０．５）とするようになっている（図４（Ａ）参照）。このため、初期ＵＲＬに対応する表示画像表示手順を実行すると、３６０°画像における座標位置（０．５，０．５）を中心とする視野範囲の画像が、表示画面ＤＳＰ内に、初期背景画像として表示されるようになっている（図４（Ｂ）〜（Ｄ）参照）。
【００４１】
引き続き、ステップＳ１３において、生成部１３０が、ｅメールアドレスのドメイン名に基づいて、記憶部１１０内のロゴ登録テーブルＬＲＴを参照し、ロゴ画像データを特定する。なお、ｅメールアドレスのドメイン名に対応するロゴの識別コードがＵＲＬ割当テーブルＵＡＴ内に登録されていない場合には、生成部１３０が、当該ドメイン名の画像を、ロゴ画像データとして生成し、記憶部１１０内に格納するようになっている。
【００４２】
次に、ステップＳ１４において、生成部１３０が、タイトルを表現している文字コードデータに対応する文字画像データを生成し、記憶部１１０内に格納する。ここで、文字画像データは、受信画像データから独立した、受信画像データとは異なる階層の画像データとして生成される。
【００４３】
次いで、ステップＳ１５において、生成部１３０が、初期ＵＲＬに対応する画像（初期ＵＲＬ画像）の表示手順情報を生成する。かかる初期ＵＲＬ画像の表示手順情報の生成に際して、生成部１３０は、まず、受信画像データ、ロゴ画像データ及び文字画像データのそれぞれが格納されるべきコンテンツサーバ４００内の位置の識別情報（以下、「コンテンツ位置識別情報」という）を定める。なお、通信網５００に接続する装置は、当該コンテンツ位置識別情報を利用することにより、当該コンテンツ位置識別情報に対応する画像データを、コンテンツサーバ４００からダウンロードすることができるようになっている。
【００４４】
引き続き、生成部１３０は、記憶部１１０内の受信画像データの視野方向に対応する画面表示領域ＤＳＰ（図４参照）内の背景画像に重畳して、記憶部１１０内の既定位置情報ＰＳＩにおいて指定されるロゴ画像領域ＬＲＤにロゴ画像を表示するとともに、当該既定位置情報ＰＳＩにおいて指定される文字画像領域ＣＲＤに文字画像を表示するための画像表示手順情報を、コンテンツ位置識別情報を交えて生成する。なお、本実施形態では、当該画像表示手順情報は、ＨＴＭＬで記述されるようになっている。
【００４５】
次に、ステップＳ１６において、生成部１３０が、初期ＵＲＬを指定して、ステップＳ１５において生成された画像表示手順情報を、通信部１２０及び通信網５００を介して、ＷＥＢサーバ３００内に登録する。引き続き、ステップＳ１７において、生成部１３０が、コンテンツ位置識別情報を指定した受信画像データ、ロゴ画像データ及び文字画像データのそれぞれを、通信部１２０及び通信網５００を介して、コンテンツサーバ４００内に登録する。
【００４６】
次いで、ステップＳ１８において、生成部１３０が、初期ＵＲＬを、通信部１２０及び通信網５００を介して、今回のｅメールを送信した端末装置へ送信する。そして、処理はステップＳ１１へ戻る。以後、ステップＳ１１〜Ｓ１８の処理が繰り返される。
【００４７】
なお、図４には、上述した初期ＵＲＬに関連する画像の例が示されている。
【００４８】
＜ＷＥＢページ画像表示手順情報の生成処理＞
次に、端末装置２００jによるＷＥＢページ画像表示手順情報の生成処理について説明する。
【００４９】
ＷＥＢページ画像表示手順情報の生成処理に際しては、図５に示されるように、まず、ステップＳ２１において、端末装置２００jが、ＷＥＢページ画像の作成のための新たな撮影結果をカメラ２５０jから受けた場合に、ｅメールを、通信網５００を介して、画像情報処理装置１００へ送信する。なお、上述したように、当該ｅメールでは、撮影結果である撮影画像データが添付ファイルとされ、入力部を利用して指定された、文字コードデータにより表現されたタイトルとなっている。
【００５０】
次に、ステップＳ２２において、端末装置２００jが、画像情報処理装置１００から送信された初期ＵＲＬを受信したか否かを判定する。ステップＳ２２における判定の結果が否定的であった場合（ステップＳ２２：Ｎ）には、ステップＳ２２の処理が繰り返される。
【００５１】
初期ＵＲＬを受信し、ステップＳ２２における判定の結果が肯定的となると（ステップＳ２２：Ｙ）、処理はステップＳ２３へ進む。ステップＳ２３では、端末装置２００jが、初期ＵＲＬに対応する画像における初期画像の表示を行う。かかる初期画像の表示に際して、端末装置２００jは、まず、初期ＵＲＬに基づいて、ＷＥＢサーバ３００にアクセスし、初期ＵＲＬに対応する画像表示手順情報をダウンロードする。引き続き、端末装置２００jは、画像表示手順情報に従って、コンテンツサーバ４００内の各種の画像データを適宜参照して初期画像を生成し、生成された初期画像を表示部に表示する。
【００５２】
なお、上述した図４（Ｄ）に示す画像が、初期画像の例となっている。
【００５３】
次に、ステップＳ２４において、端末装置２００jが、入力部における視野方向指定デバイスを利用して指定された方向を視野方向とした場合の３６０°画像の全体画像ＦＭＧにおける視野内の画像を背景画像とし、当該背景画像に文字画像及びロゴ画像が重畳された画像を表示する。こうして変化する表示画像の中から、入力部を介した利用者によるＷＥＢページ画像の選択指定がなされると、端末装置２００jは、その時点における表示画像を、ＷＥＢページ画像（図６（Ｄ）参照）を特定する。
【００５４】
次いで、ステップＳ２５において、端末装置２００jが、特定されたＷＥＢページ画像における背景画像（図６（Ｂ）参照）を抽出する。そして、端末装置２００jが、抽出された背景画像が登録されるべきコンテンツサーバ４００内におけるコンテンツ位置識別情報を、受信画像データのコンテンツ位置識別情報を、所定の方式に従って改変することにより定める。
【００５５】
引き続き、ステップＳ２６において、端末装置２００jが、ＷＥＢページ画像の表示手順情報を生成する。かかるＷＥＢページ画像の表示手順情報の生成に際して、端末装置２００jは、まず、初期ＵＲＬ画像表示手順中における受信画像データのコンテンツ位置識別情報を、ＷＥＢページ画像における背景画像データのコンテンツ位置識別情報に変更する。そして、端末装置２００jは、初期ＵＲＬにおける初期視野方向（０．５，０．５）を、ＷＥＢページ画像が視野内となる視野方向（Ｘ，Ｙ）（図６（Ａ）参照）に変更するとともに、表示画面ＤＳＰ内のみの画像である旨の識別情報を追加したＷＥＢページ画像のＵＲＬを作成する。
【００５６】
次に、ステップＳ２７において、端末装置２００jが、ＷＥＢページ画像のＵＲＬを指定して、ステップＳ２６において生成された画像表示手順情報を、通信部１２０及び通信網５００を介して、ＷＥＢサーバ３００内に登録する。引き続き、ステップＳ２８において、端末装置２００jが、ステップＳ２５において定められたコンテンツ位置識別情報を指定した背景画像データを、通信部１２０及び通信網５００を介して、コンテンツサーバ４００内に登録する。こうして、ステップＳ２８の処理が終了すると、今回のＷＥＢページ画像表示手順情報の生成処理が終了する。
【００５７】
なお、図６には、上述したＷＥＢぺージ画像に関連する画像の例が示されている。ここで、図６（Ｃ）は、上述した図４（Ｃ）を再掲した図である。
【００５８】
以上説明したように、本実施形態の画像情報処理装置１００によれば、記憶部１１０が、外部から供給され、互いに関連付けられた画像データ及び文字コードデータを記憶する。そして、生成部１３０が、新たな画像データ及び文字コードデータとの組み合わせが記憶部に記憶されるたびに、まず、画面における予め定められた位置に、当該画像データの少なくとも一部に対応する背景画像に重畳されて表示される当該文字コードデータに対応する文字画像のデータを、背景画像とは異なる階層の画像データとして生成する。引き続き、生成部１３０は、当該背景画像に当該文字画像が重畳された表示画像を表示させるための手順情報を生成する。
【００５９】
したがって、本実施形態の画像情報処理装置によれば、表示画像における背景画像は変化するが、当該背景画像に重畳される文字画像の表示画面における表示位置を変化させない表示用画像を表示させるための手順情報を簡易に生成することができる。このため、表示画像における背景画像は変化するが、当該背景画像に重畳される文字画像の表示画面における表示位置を変化させない表示用画像の生成に貢献することができる。
【００６０】
また、本実施形態の画像情報処理装置では、画像データが、電子メールの添付ファイルとして供給され、文字コードデータが、電子メールの本体部におけるタイトルを表現する文字コードデータとして供給されるようにすることができる。このため、関連付けられて記憶部１１０内に記憶されるべき画像データと文字コードデータとを、関連付けを明確に示しつつ、利用者にとって簡易に、背景画像の作成に利用される画像データ、及び、背景画像に重畳される文字画像の作成に利用される文字コードデータを、画像情報処理装置に供給することができる。
【００６１】
［実施形態の変形］
本発明は、上記の実施形態に限定されるものではなく、様々な変形が可能である。
【００６２】
例えば、上記の実施形態では、画像表示手順をＨＴＭＬで記述するようにしたが、ＨＴＭＬ以外のマークアップ言語を使用するようにしてもよい。
【００６３】
また、上記の実施形態では、ｅメールアドレスのドメイン名に対応するロゴの識別コードがＵＲＬ割当テーブルＵＡＴ内に登録されていない場合には、当該ドメイン名の画像を、ロゴ画像データとして生成するようにした。これに対し、ｅメールアドレスのドメイン名に対応するロゴの識別コードがＵＲＬ割当テーブルＵＡＴ内に登録されていない場合には、ロゴ画像を表示しないようにしてもよい。
【００６４】
また、上記の実施形態では、ｅメールのタイトルを表現している文字コードデータに対応する文字画像を、背景画像に重畳させるようにした。これに対し、ｅメールのタイトル位置以外の所定位置（例えば、本文の冒頭位置）における文字コードデータに対応する文字画像を、背景画像に重畳させるようにしてもよい。
【００６５】
また、上記の実施形態では、ロゴ画像領域ＬＲＤ位置及び文字画像領域ＣＲＤ位置を、画像情報処理装置１００の管理者が、予め定められるようにした。これに対し、ドメイン管理者が、ドメイン固有のロゴ画像領域ＬＲＤ位置及び文字画像領域ＣＲＤ位置を定めるようにしてもよい。
【００６６】
また、上記の実施形態では、ロゴ画像及び文字画像を背景画像に重畳させるようにした。これに対し、作成日時の画像を、さらに、背景画像に重畳させるようにしてもよい。
【００６７】
また、上記の実施形態では、電子メールに添付される画像データとして、３６０°静止画像データとしたが、３６０°画像データ以外の広角画像のデータとしてもよい。さらに、電子メールに添付される画像データは、静止画像のデータであってもよいし、動画像のデータであってもよい。
【００６８】
また、上記の実施形態では、端末装置から画像情報処理装置への画像データ及び文字コードデータの送信をｅメールの形式で行うようにした。これに対し、画像データと文字コードデータとを関連付けたデータ送信ができるのであれば、他の通信形式により、当該画像データ及び当該文字コードデータを、端末装置から画像情報処理装置へ送信するようにしてもよい。
【００６９】
また、上記の実施形態では、端末装置における視野方向を指定する視野方向指定デバイスとして、表示部が備えるヘッドマウントディスプレイに固定されたジャイロセンサを採用した。これに対し、ジョイスティック、マウス等を、視野方向指定デバイスとして採用してもよい。
【産業上の利用可能性】
【００７０】
以上説明したように、本発明は、画像情報処理を行う画像情報処理装置の分野で利用することができる。
【符号の説明】
【００７１】
１００…画像情報処理装置、１１０…記憶部、１２０…通信部、１３０…生成部、２００j…端末装置、２５０j…カメラ、３００…ＷＥＢサーバ、４００…コンテンツサーバ、５００…通信網。
【図１】
2018041148.tif 000003
【図２】
2018041148.tif 000004
【図３】
2018041148.tif 000005
【図４】
2018041148.tif 000006
【図５】
2018041148.tif 000007
【図６】
2018041148.tif 000008